(57)【特許請求の範囲】
【請求項１】
細長くて偏平な直方体状の第１ブロックと、同様の形状の第２ブロックとを、側面を相互に接合させた状態で、これらの長さ方向における一端を接合面に垂直に貫通する回動軸により相対回動可能に連結し、上記第１ブロックに、これを長さ方向に貫通する鍵孔を形成すると共に、その接合面に沿って内端が鍵孔に連通する複数の第１ピン孔を列設し、一方、第２ブロックの接合面に沿って第１ピン孔と夫々整合する複数の有底の第２ピン孔を列設し、相互に整合する第１ピン孔及び第２ピン孔の組の夫々に、鍵孔に近い方から順に、タンブラーピン、ドライバーピン及び付勢ばねを収納し、鍵孔に合鍵が挿入されていないときには、ドライバーピンがシアーラインとなる接合面に跨がるように、鍵孔に合鍵が挿入されたときには、その鍵溝と係合する各タンブラーピンが第２ブロック方向に移動してタンブラーピンとドライバーピンとの接合面がシアーラインに合致するように各タンブラーピンの長さを設定し、他方、第２ブロックの基板に対向する側の下面に、下端に掛け金機構との係合部を形成した作動軸を一体に突設すると共にこれを基板に回動可能に支承させ、また、第１ブロックの下面には錠止ピンを突設してこれを基板に開口した錠止孔に係合させ、更にまた、第１ブロックに第１ブロック及び第２ブロックを覆う外カバーを結合し、このように構成されたものの上記基板を鞄等に装着し、第１及び第２ブロックの接合面を相互に整合させることにより錠止ピンを基板の錠止孔に係合させて、第１及び第２ブロックの作動軸回りの回動を拘束することにより作動軸を錠止し、一方、鍵孔に合鍵を挿入して第１ブロックを第２ブロックから解放した解錠時、合鍵を介して第１ブロックを基板から離間させることにより錠止ピンと錠止孔の係合を外し、外カバーを摘んで全体を回すことにより作動軸を回すようにしたことを特徴とする施錠装置。
【請求項２】
細長くて偏平な直方体状の第１ブロックと、同様の形状の第２ブロックとを、側面を相互に接合させた状態で、これらの長さ方向における一端を接合面に垂直に貫通する回動軸により相対回動可能に連結し、上記第１ブロックに、これを長さ方向に貫通する鍵孔を形成すると共に、その接合面に沿って内端が鍵孔に連通する複数の第１ピン孔を列設し、一方、第２ブロックの接合面に沿って第１ピン孔と夫々整合する複数の有底の第２ピン孔を列設し、相互に整合する第１ピン孔及び第２ピン孔の組の夫々に、鍵孔に近い方から順に、タンブラーピン、ドライバーピン及び付勢ばねを収納し、鍵孔に合鍵が挿入されていないときには、ドライバーピンがシアーラインとなる接合面に跨がるように、鍵孔に合鍵が挿入されたときには、その鍵溝と係合する各タンブラーピンが第２ブロック方向に移動してタンブラーピンとドライバーピンとの接合面がシアーラインに合致するように各タンブラーピンの長さを設定し、他方、第２ブロックの基板に対向する側の下面に、下端に掛け金機構との係合部を形成した作動軸を一体に突設すると共にこれを基板に回動可能に支承させ、また、第２ブロックに、内部で第１ブロックが揺動できる隙間を保って第１及び第２ブロックを覆う外カバーを結合し、このように構成されたものの上記基板を鞄等に装着し、第１及び第２ブロックの接合面を相互に整合させることにより錠止ピンを基板の錠止孔に係合させて、第１及び第２ブロックの作動軸回りの回動を拘束することにより作動軸を錠止し、一方、鍵孔に合鍵を挿入して第１ブロックを第２ブロックから解放した解錠時、合鍵を介して第１ブロックを基板から離間させることにより錠止ピンと錠止孔の係合を外し、外カバーを摘んで全体を回すことにより作動軸を回すようにしたことを特徴とする施錠装置。
【発明の詳細な説明】
【０００１】
【発明の属する技術分野】
この発明は、施錠装置に係り、特に、小型で鍵違いを多くすることができる新規な施錠装置に関する。
【０００２】
【従来の技術】
例えば鞄や巻上げ式のシャッターの錠前は、厚さ方向の寸法を大きくすることができないので、タンブラーの数も例えば３枚程度であり、鍵違いを多くすることができない。
【０００３】
【発明が解決しようとする課題】
この発明は、小型で特に取付面に垂直な方向の寸法、すなわち厚さを小さくすることができ、しかも鍵違いを多くすることができる新規な施錠装置を提供することを目的としている。
【０００４】
【課題を解決するための手段】
上記の目的を達成するため、請求項１に記載の発明は、細長くて偏平な直方体状の第１ブロックと、同様の形状の第２ブロックとを、側面を相互に接合させた状態で、これらの長さ方向における一端を接合面に垂直に貫通する回動軸により相対回動可能に連結し、上記第１ブロックに、これを長さ方向に貫通する鍵孔を形成すると共に、その接合面に沿って内端が鍵孔に連通する複数の第１ピン孔を列設し、一方、第２ブロックの接合面に沿って第１ピン孔と夫々整合する複数の有底の第２ピン孔を列設し、相互に整合する第１ピン孔及び第２ピン孔の組の夫々に、鍵孔に近い方から順に、タンブラーピン、ドライバーピン及び付勢ばねを収納し、鍵孔に合鍵が挿入されていないときには、ドライバーピンがシアーラインとなる接合面に跨がるように、鍵孔に合鍵が挿入されたときには、その鍵溝と係合する各タンブラーピンが第２ブロック方向に移動してタンブラーピンとドライバーピンとの接合面がシアーラインに合致するように各タンブラーピンの長さを設定し、他方、第２ブロックの基板に対向する側の下面に、下端に掛け金機構との係合部を形成した作動軸を一体に突設すると共にこれを基板に回動可能に支承させ、また、第１ブロックの下面には錠止ピンを突設してこれを基板に開口した錠止孔に係合させ、更にまた、第１ブロックに第１ブロック及び第２ブロックを覆う外カバーを結合し、このように構成されたものの上記基板を鞄等に装着し、第１及び第２ブロックの接合面を相互に整合させることにより錠止ピンを基板の錠止孔に係合させて、第１及び第２ブロックの作動軸回りの回動を拘束することにより作動軸を錠止し、一方、鍵孔に合鍵を挿入して第１ブロックを第２ブロックから解放した解錠時、合鍵を介して第１ブロックを基板から離間させることにより錠止ピンと錠止孔の係合を外し、外カバーを摘んで全体を回すことにより作動軸を回すようにしたことを特徴とする。
【０００５】
また、請求項２に記載の発明は、細長くて偏平な直方体状の第１ブロックと、同様の形状の第２ブロックとを、側面を相互に接合させた状態で、これらの長さ方向における一端を接合面に垂直に貫通する回動軸により相対回動可能に連結し、上記第１ブロックに、これを長さ方向に貫通する鍵孔を形成すると共に、その接合面に沿って内端が鍵孔に連通する複数の第１ピン孔を列設し、一方、第２ブロックの接合面に沿って第１ピン孔と夫々整合する複数の有底の第２ピン孔を列設し、相互に整合する第１ピン孔及び第２ピン孔の組の夫々に、鍵孔に近い方から順に、タンブラーピン、ドライバーピン及び付勢ばねを収納し、鍵孔に合鍵が挿入されていないときには、ドライバーピンがシアーラインとなる接合面に跨がるように、鍵孔に合鍵が挿入されたときには、その鍵溝と係合する各タンブラーピンが第２ブロック方向に移動してタンブラーピンとドライバーピンとの接合面がシアーラインに合致するように各タンブラーピンの長さを設定し、他方、第２ブロックの基板に対向する側の下面に、下端に掛け金機構との係合部を形成した作動軸を一体に突設すると共にこれを基板に回動可能に支承させ、また、第２ブロックに、内部で第１ブロックが揺動できる隙間を保って第１及び第２ブロックを覆う外カバーを結合し、このように構成されたものの上記基板を鞄等に装着し、第１及び第２ブロックの接合面を相互に整合させることにより錠止ピンを基板の錠止孔に係合させて、第１及び第２ブロックの作動軸回りの回動を拘束することにより作動軸を錠止し、一方、鍵孔に合鍵を挿入して第１ブロックを第２ブロックから解放した解錠時、合鍵を介して第１ブロックを基板から離間させることにより錠止ピンと錠止孔の係合を外し、外カバーを摘んで全体を回すことにより作動軸を回すようにしたことを特徴とする。
【０００６】
【実施例】
以下この発明の実施例を図面を参照して説明する。
図１及び図２において符号１は第１ブロックを、符号２は第２ブロックを夫々示し、これら第１及び第２ブロック１、２は、共に、全体の形状が略細長くて偏平な直方体である。
【０００７】
これら第１及び第２ブロック１、２は、側面を相互に接合させた状態で、長さ方向における一端（図１における上端）を接合面Ｓに対して垂直に貫通する回動軸３により相互に一体的に連結されている。
【０００８】
なお、図示の実施例では、この回動軸３の両端にＥリング等の止め輪１０が嵌着されている（図４及び図５参照）。
【０００９】
上記第１ブロック１にはこれを長さ方向に貫通する鍵孔４が形成されている。図示の実施例における鍵孔４は横断面形状が閉じた曲線となっているが、これは第１ブロック１の剛性を高めるためであって、通常のピンタンブラー錠の鍵孔のように、一側面が開いていてもよい。
【００１０】
また、第１ブロックの接合面Ｓには、その長さ方向に沿って、内端が鍵孔４に連通する複数（図示の実施例では６個）の第１ピン孔５、５が列設されている。
【００１１】
また、第２ブロック２側には、その接合面Ｓに沿って、第１ピン孔と夫々整合する第１ピン孔と同数の有底の第２ピン孔６、６が列設されている。
【００１２】
後述するように施錠状態では相互に整合する上記第１及び第２ピン孔５、６の組の夫々には、鍵孔４に近い方から順に（図１参照）、タンブラーピン７、ドライバーピン８及び圧縮コイルばねとしての付勢ばね９が夫々収納されている。
【００１３】
そして、図１に示すように鍵孔４に合鍵が挿入されていないときには、付勢ばね９の弾力によってタンブラーピン７及びドライバーピン８が鍵孔４に近接する方向に押動され、各ドライバーピン８が接合面Ｓに跨がるように各タンブラーピン７の長さが設定されている。
【００１４】
一方、鍵孔４に合鍵１１が挿入されたときには、図３に示すように、合鍵１１の鍵溝と係合する各タンブラーピン７が第２ブロック２方向に移動して、タンブラーピン７とドライバーピン８との接合面の全てが接合面Ｓに合致する。
【００１５】
したがって、第１ブロック１と第２ブロック２とが回動軸３の回りを相対回動可能になる。
【００１６】
すなわち、図１乃至図３に示す機構は、通常のピンタンブラー錠の一部を鍵孔に平行な一対の平面で切り取ったものと均等である。
【００１７】
そして、言うまでもなく、図１がこの新規な施錠装置の施錠状態を、図３が解錠状態を夫々示す。
【００１８】
一方、図２及び図４に示すように、第２ブロック２の基板１２に対向する側の下面中央には、下端に図示しない掛け金機構との係合部を形成した作動軸１３が一体に突設されており、この作動軸１３は基板１２に回動可能に支承されると共に、基板からの抜け止めの為止め輪１０が嵌着されている。
【００１９】
図示の実施例では、この作動軸１３の係合部は断面方形の異形断面軸となっているが、固の係合部の形状は図示の実施例に限定されない。
【００２０】
他方、図２、図４及び図５に示すように、第１ブロック１の下面には錠止ピン１４が突設されており、図１に示すこの施錠装置の施錠状態では、この錠止ピン１４は基板１２に開口した錠止孔１５と係合している。
【００２１】
なお、この錠止ピン１４の突設箇所は回動軸３からなるべく遠い方がよく、その理由は、解錠して第１ブロックが傾動するとき（図５参照）、錠止ピン１４の移動距離が大きくなって錠止孔１５からの解放が確実になるからである。
【００２２】
また、錠止孔１５の第１ブロックの長さ方向（図５で左右方向）の寸法は、錠止ピン１４の直径よりも大きくしておくとよい。それは、図５から明らかなように、錠止ピン１４は円弧に沿って移動するからである。
【００２３】
また、第１ブロック１には、例えばスポット溶接等の結合手段により、一面が開口した浅い箱状の外カバー１５が第１及び第２ブロック１、２を覆うように結合されている。
【００２４】
この外カバー１６の鍵孔４が開口する部分には、図６に示すように、合鍵挿通孔１７を開口させておくべきことは勿論である。
【００２５】
また、図４及び図５に示すように、解錠時第２ブロック２に対し相対的に傾動する外カバー１６と第２ブロック２との干渉を防ぐため、外カバーの合鍵挿通孔１７が開口した側面と第２ブロック２との間に隙間を設けるとよい。
【００２６】
更にまた、外カバー１６が傾動したときこれと第２ブロック２の一端（図４及び図５で右端）との干渉を防ぐため、少なくとも第２ブロックの一端を回動軸３を中心とする半円形に成形しておくとよい。
【００２７】
加えて、第１ブロック１の傾動時タンブラーピン７或いはドライバーピン８が接合面Ｓにおいて完全に露出するとピン孔から抜け出てしまうから、第１ブロック１の傾動角度を制限する機構を設けるとよい。
【００２８】
図示の実施例では、図４に示すように、外カバー１６の一端部に切欠１８を形成し、第１ブロック１の傾動時この切欠の端縁が基板１２に接合して図５に示す傾動角度を保つようにしてある。図４では図面を明瞭にするため切欠１８を誇張して大きく描いてあるが、実際には目立たない程度に小さい切欠で足りる。
【００２９】
なお、図示の実施例は図面を明瞭にするため各部材を約２倍に拡大して描いているので大きく見えるが、実際には図２を正面として奥行、幅及び高さを夫々２５ｍｍ、３０ｍｍ、６．５ｍｍ（作動軸１３の突出部を除く）となるように設計されている。
【００３０】
上記のように構成されたこの発明の一実施例による施錠装置は、基板１２を例えば鞄等に装着し、作動軸１３の係合部を掛け金機構に係合させる。
【００３１】
図１及び図２に示す施錠状態では、錠止ピン１４が錠止孔１５に係合しているから、外カバー１６を手指で摘んで回そうとしても作動軸１３は回らず、したがってこの施錠装置の施錠状態が保たれる。
【００３２】
一方、図３に示すように鍵孔４に合鍵１１を挿入すると、前記したようにこの施錠装置は解錠されるので、図５に示すように合鍵を少し持上げる。
【００３３】
すると、図５から明らかなように錠止ピン１４が錠止孔１５から抜去されるので、第１及び第２ブロック１、２は回動可能になり、少し持上がって傾いた外カバー１６の外側を手指で摘んで作動軸１３の回りで回せば、その係合部の回動によって鞄錠の掛け金機構が外されて解錠される。
【００３４】
なお、この発明を実施するにあたっては図示の実施例に限定されることなく、種々に変形して実施することができる。
【００３５】
例えば、図７に示すように、ガラス製の商品陳列ケースの引き違いとなるガラス戸の両端に夫々超音波加工によって作動軸１３を通す孔、及び錠止孔１６を開口させれば基板１２を介さずに直接この施錠装置を装着でき、作動軸１３の内端に掛け金１９を装着すれば、この発明による施錠装置Ｌはガラス戸を開け閉めするときの摘みを兼ねた錠前となる。
【００３６】
なお、この場合合鍵は図７の矢印Ａから第１ブロックに挿入するように施錠装置Ｌの取付角度位置を定めると使い勝手が良い。
【００３７】
また、図示の実施例では外カバー１６を第１ブロック１側に結合するものとしたが、第１ブロックの傾動によっても内面が干渉しないように第１及び第２ブロックの上面との間にかなりの遊びの空間を設ければ（図示せず）、外カバー１６を第２ブロックに結合することができ、この場合外カバーの厚みが例えば３ｍｍ程度大きくなるが、外カバーが動かないので使い勝手は向上する。
【００３８】
【発明の効果】
以上の説明から明らかなように、この発明は、ピンタンブラー錠の原理を利用しているから、鍵違いの数を通常の建築用のピンタンブラー錠と同じ程度に多くすることができる。
【００３９】
また、タンブラーピン、ドライバーピンを取付面に平行な平面に沿って配列するように構成したので、施錠装置の厚さを薄くすることができる、等種々の効果を奏する。
【図面の簡単な説明】
【図１】この発明の一実施例による施錠装置の要部の縦断面図で、施錠状態を示す。
【図２】その一部断面正面図。
【図３】この発明の一実施例による施錠装置の要部の縦断面図で、解錠状態を示す。
【図４】この発明の一実施例による施錠装置の一部断面側面図で、施錠状態を示す。
【図５】この発明の一実施例による施錠装置の一部断面側面図で、解錠状態を示す。
【図６】この発明の一実施例による施錠装置の正面図。
【図７】この発明の他の実施例を示す線図。
【符号の説明】
１  第１ブロック
２  第２ブロック
３  回動軸
４  鍵孔
５  第１ピン孔
６  第２ピン孔
７  タンブラーピン
８  ドライバーピン
９  付勢ばね
１１  合鍵
１２  基板
１３  作動軸
１４  錠止ピン
１５  錠止孔
１６  外カバー
【図１】
0004236067.tif 000002
【図２】
0004236067.tif 000003
【図３】
0004236067.tif 000004
【図４】
0004236067.tif 000005
【図５】
0004236067.tif 000006
【図６】
0004236067.tif 000007
【図７】
0004236067.tif 000008